(57)【要約】      （修正有）【課題】簡単な構造で、組立工程が容易であり、剛性が高く、高い緩衝性を有する緩衝用中仕切と包装箱を提供する。【解決手段】一枚の仕切形成片から成り、上方に位置する上面板８８と、上面板の下方に位置し上面板に沿って位置する底面板１０４と、上面板と底面板を連結する一対の上面保持板９２、１００を有する。上面板と底面板の間には、上面板に沿う中間板１２２を有し、上面板と中間板には収容物１５４を挿通して緩衝的に保持する透孔９０、１２６を各々備える。一対の上面保持板は、上面板とは反対側の辺が、底面板よりも下方に突出して、底面板を保持する脚部１１０となる。底面板には、底面糊付板１３６が糊付けされて、２層になっている。【選択図】図１
0003223214.tif 000002
【実用新案登録請求の範囲】
【請求項１】
一枚の仕切形成片から成り、上方に位置する上面板と、前記上面板の下方に位置し前記上面板に沿って位置する底面板と、前前記上面板と前記底面板を連結する一対の上面保持板が、四角筒体に組み立てられて設けられ、前記上面板と前記底面板の間には前記上面板に沿う中間板が設けられ、前記上面板と前記中間板には収容物を挿通して緩衝的に保持する透孔が各々設けられ、
前記一対の上面保持板の、前記上面板とは反対側の辺は前記底面板よりも下方に突出して前記底面板を保持する脚部となり、前記一対の上面保持板に各々設けられた前記脚部は、前記底面板よりも下方に突出する長さが互いに同じであり、
前記底面板には底面糊付板が糊付けされて２層に形成されていることを特徴とする緩衝用中仕切。
【請求項２】
前記上面保持板と前記底面板は、折罫線を介して連続し、前記折罫線の途中には前記底面板の方へ中央部分が突出する切断線が各々設けられ、前記切断線の内側は前記仕切形成片の組立状態で前記上面保持板と面一に前記底面板よりも下方に突出する脚部となる請求項１記載の緩衝用中仕切。
【請求項３】
前記上面板と、前記底面板と、一対の前記上面保持板が組み立てられた前記四角筒体の内側に、小さい四角筒体に組み立てられた前記中間板と、前記底面糊付板と、前記中間板と前記底面糊付板を連結する一対の中間保持板が設けられ、前記一対の中間保持板の一方は、対面する前記上面保持板に糊付けされ、前記四角筒体を折り畳み状態から引き起こすことにより前記四角筒体の内側に位置する前記小さい四角筒体が同時に引き起こされる請求項１記載の緩衝用中仕切。
【請求項４】
前記仕切形成片は、前記上面保持板、前記上面板、前記他方の上面保持板、前記底面板、前記中間保持板、前記中間板、前記他方の中間保持板、前記底面糊付板が順に折罫線を介して連続して設けられ、端部に位置する前記上面保持板の前記上面板とは反対側の側縁部が一方の前記脚部となり、前記底面板と他方の前記上面保持板の間の前記折罫線には前記切断線が設けられ前記切断線で囲まれた前記脚部が設けられている請求項２記載の緩衝用中仕切。
【請求項５】
前記上面板には、前記四角筒体の両端の開口部を閉鎖する仕切外側フラップが設けられ、前記底面板には、前記四角筒体の両端の開口部を閉鎖する仕切外側糊付片が設けられ、前記仕切外側フラップと前記仕切外側糊付片は互いに糊付けされて前記四角筒体を組み立てた状態に保つ請求項１記載の緩衝用中仕切。
【請求項６】
前記中間板には、前記小さい四角筒体の両端の開口部を閉鎖する仕切内側糊付片が設けられ、前記底面糊付板には、前記小さい四角筒体の両端の開口部を閉鎖する仕切内側フラップが設けられ、前記仕切内側糊付片と前記仕切内側フラップは互いに糊付けされ、前記
互いに糊付けされた前記仕切外側フラップと前記仕切外側糊付片の内側に位置し、前記四角筒体の両端の開口部は４層構造になっている請求項５記載の緩衝用中仕切。
【請求項７】
前記底面板と前記底面糊付板には、エンボス加工が施されて型押部が形成されている請求項１記載の緩衝用中仕切。
【請求項８】
収容物を入れる箱体が設けられ、前記箱体の中に緩衝用中仕切を備え、
前記緩衝用中仕切は、一枚の仕切形成片から成り、上方に位置する上面板と、前記上面板の下方に位置し前記上面板に沿って位置する底面板と、前前記上面板と前記底面板を連結する一対の上面保持板が、四角筒体に組み立てられて設けられ、前記上面板と前記底面板の間には前記上面板に沿う中間板が設けられ、前記上面板と前記中間板には収容物を挿通して緩衝的に保持する透孔が各々設けられ、前記一対の上面保持板の、前記上面板とは反対側の辺は前記底面板よりも下方に突出して前記底面板を保持する脚部となり、前記一対の上面保持板に各々設けられた前記脚部は、前記底面板よりも下方に突出する長さが互いに同じであり、前記底面板には底面糊付板が糊付けされて２層に形成され、
前記箱体の底部と、前記底面板の間に緩衝空間が設けられていることを特徴とする包装箱。
【考案の詳細な説明】
【技術分野】
【０００１】
この考案は、医薬品の瓶やその他の容器を緩衝的に保持する緩衝用中仕切と、緩衝用中仕切を備えた包装箱に関する。
【背景技術】
【０００２】
従来、バイアル等の薬瓶を収容する包装箱は、薬瓶同士が搬送中にぶつかり合って傷ついたり割れたりしないように、緩衝用中仕切が設けられているものがある。例えば、特許文献１に開示されている容器ホルダーは、容器を挿入可能な複数個の挿入孔が形成された上面板と、左右の側面板及び底面板からなる直方体状の容器である。この包装箱に容器を収容する時は、上面板の挿入孔から入れ、容器の底部が底面板に当接して保護される。容器は挿入孔に保持され、容器同士がぶつかることを防ぐことができる。
【０００３】
また、上下方向に緩衝機能を持たせたものもある。例えば、特許文献２に開示されている瓶容器包装用紙箱は、箱主体と、この箱主体の内側に設けられた瓶容器支持体とから成り、瓶容器支持体には、瓶胴中間部用支持穴を設けた上位支持板と、上位支持板の少し下に位置し瓶胴下部用支持穴を設けた中間支持板と、中間支持板の少し下に位置する瓶底支持板が設けられ、瓶底支持板の下側面には、緩衝用立ち上がり片を介して箱底内面密着片が設けられている。この瓶容器包装用紙箱の瓶底支持板は、緩衝用立ち上がり片により、箱主体の底から所定間隔離れて保持されるため、瓶の底が箱主体の底に接触することが無く、衝撃や振動が伝わることなく、緩衝機能が高い。
【０００４】
また、特許文献３に開示されている中仕切、及びこの中仕切を備えた包装箱は、上仕切板、下仕切板、載置板、底面板を、互に所定の間隔を開けて上から順に並列して設けられている。上仕切板と下仕切板には、瓶の胴部を支持する複数の上支持孔と下支持孔が設けられている。この包装箱も、載置板と底面板との間には縦方向の補強板を立設し、載置板と底面板との間に収容空間を形成し、緩衝機能が高い。
【先行技術文献】
【特許文献】
【０００５】
【特許文献１】特開２００３−２９２０３１号公報
【特許文献２】特開平１０−２９１５２２号公報
【特許文献３】特開２００９−２９８４４８号公報
【考案の概要】
【考案が解決しようとする課題】
【０００６】
上記背景技術の場合、特許文献１の場合は、底面板の下方に緩衝空間を設けることは考えられておらず、上下方向の緩衝性が十分ではない。特許文献２と特許文献３の場合は、底面板の下方に緩衝空間を設けるために立ち上がり片や補強板が立設され、それらの構造が複雑であり、糊付けする箇所が多く、組み立て工程が面倒である。
【０００７】
この考案は、上記背景技術の問題点に鑑みてなされたものであり、簡単な構造で、組立工程が容易であり、剛性が高く、高い緩衝性を有する緩衝用中仕切と包装箱を提供することを目的とする。
【課題を解決するための手段】
【０００８】
本考案は、一枚の仕切形成片から成り、上方に位置する上面板と、前記上面板の下方に位置し前記上面板に沿って位置する底面板と、前前記上面板と前記底面板を連結する一対の上面保持板が、四角筒体に組み立てられて設けられ、前記上面板と前記底面板の間には前記上面板に沿う中間板が設けられ、前記上面板と前記中間板には収容物を挿通して緩衝的に保持する透孔が各々設けられている緩衝用中仕切である。前記一対の上面保持板の、前記上面板とは反対側の辺は前記底面板よりも下方に突出して前記底面板を保持する脚部となり、前記一対の上面保持板に各々設けられた前記脚部は、前記底面板よりも下方に突出する長さが互いに同じである。前記底面板には底面糊付板が糊付けされて２層に形成されている。
【０００９】
前記上面保持板と前記底面板は、折罫線を介して連続し、前記折罫線の途中には前記底面板の方へ中央部分が突出する切断線が各々設けられ、前記切断線の内側は前記仕切形成片の組立状態で前記上面保持板と面一に前記底面板よりも下方に突出する脚部となる。
【００１０】
前記上面板と、前記底面板と、一対の前記上面保持板が組み立てられた前記四角筒体の内側に、小さい四角筒体に組み立てられた前記中間板と、前記底面糊付板と、前記中間板と前記底面糊付板を連結する一対の中間保持板が設けられ、前記一対の中間保持板の一方は、対面する前記上面保持板に糊付けされ、前記四角筒体を折り畳み状態から引き起こすことにより前記四角筒体の内側に位置する前記小さい四角筒体が同時に引き起こされる。
【００１１】
前記仕切形成片は、前記上面保持板、前記上面板、前記他方の上面保持板、前記底面板、前記中間保持板、前記中間板、前記他方の中間保持板、前記底面糊付板が順に折罫線を介して連続して設けられ、端部に位置する前記上面保持板の前記上面板とは反対側の側縁部が一方の前記脚部となり、前記底面板と他方の前記上面保持板の間の前記折罫線には前記切断線が設けられ前記切断線で囲まれた前記脚部が設けられている。
【００１２】
前記上面板には、前記四角筒体の両端の開口部を閉鎖する仕切外側フラップが設けられ、前記底面板には、前記四角筒体の両端の開口部を閉鎖する仕切外側糊付片が設けられ、前記仕切外側フラップと前記仕切外側糊付片は互いに糊付けされて前記四角筒体を組み立てた状態に保つ。
【００１３】
前記中間板には、前記小さい四角筒体の両端の開口部を閉鎖する仕切内側糊付片が設けられ、前記底面糊付板には、前記小さい四角筒体の両端の開口部を閉鎖する仕切内側フラップが設けられ、前記仕切内側糊付片と前記仕切内側フラップは互いに糊付けされ、前記互いに糊付けされた前記仕切外側フラップと前記仕切外側糊付片の内側に位置し、前記四角筒体の両端の開口部は４層構造になっている。さらに、前記底面板と前記底面糊付板には、エンボス加工が施されて型押部が形成されているとよい。
【００１４】
また本考案は、収容物を入れる箱体が設けられ、前記箱体の中に緩衝用中仕切が入れられている包装箱である。前記緩衝用中仕切は、一枚の仕切形成片から成り、上方に位置する上面板と、前記上面板の下方に位置し前記上面板に沿って位置する底面板と、前前記上面板と前記底面板を連結する一対の上面保持板が、四角筒体に組み立てられて設けられ、前記上面板と前記底面板の間には前記上面板に沿う中間板が設けられ、前記上面板と前記中間板には収容物を挿通して緩衝的に保持する透孔が各々設けられている。そして、前記一対の上面保持板の、前記上面板とは反対側の辺は前記底面板よりも下方に突出して前記底面板を保持する脚部となり、前記箱体の底部と、前記底面板の間に緩衝空間が設けられる。前記一対の上面保持板に各々設けられた前記脚部は、前記底面板よりも下方に突出する長さが互いに同じである。また、前記底面板には底面糊付板が糊付けされて２層に形成されているものである。
【考案の効果】
【００１５】
本考案の緩衝用中仕切と包装箱は、簡単な構造で、組立工程が容易であり、剛性が高く、高い緩衝性を有する。バイアル等の壊れやすい収容物を確実に包装し、運搬や保管を行うことができる。
【図面の簡単な説明】
【００１６】
【図１】この考案の一実施形態の包装箱の部分破断斜視図である。
【図２】この考案の包装箱の縦断面図である。
【図３】この考案の緩衝用中仕切の展開図である。
【図４】この考案の緩衝用中仕切の組立工程を示す裏面から見た展開図である。
【図５】この考案の緩衝用中仕切の組立工程を示す裏面から見た展開図である。
【図６】この考案の緩衝用中仕切の組立工程を示す裏面から見た展開図である。
【図７】この考案の包装箱の箱体の展開図である。
【考案を実施するための形態】
【００１７】
以下、この考案の実施形態について図面に基づいて説明する。図１〜図７はこの考案の一実施形態を示すもので、この実施形態の包装箱１０は、収容物を収容し運搬や保管を行う箱体１２が設けられ、箱体１２は、図７に示すように紙製のシートを打ち抜いて形成された箱体形成片１４を組み立てて設けられている。
【００１８】
箱体形成片１４は、側面１６，１８，２０，２２が、互に平行に連接して形成されている。側面１６，１８，２０，２２は、連接している幅方向は同じ長さであり、連接方向の長さは、側面１６と側面２０が長くて互いにほぼ等しく、側面１８，２２はやや短くて互いにほぼ等しい。側面１６の側縁部には、箱体１２の組立状態で側面２２の裏面に糊付けされる糊付片２４が設けられている。糊付片２４、側面１６，１８，２０，２２は、各々折罫線２６，２８，３０，３２で区切られて設けられている。
【００１９】
側面１６において、側面同士の連接方向に対して直角な方向の一端部には、矩形の上蓋片３４が折罫線３６で区切られて設けられている。上蓋片３４の、折罫線３６とは反対側の端部には、差込片３８が折罫線４０で区切られて設けられている。
【００２０】
側面１６の、折罫線３６とは反対側の端部には、第一底蓋片４２が折罫線４４で区切られて設けられている。第一底蓋片４２は、折罫線４４を下底とする台形状に形成され、折罫線４４に対して平行な上底である端部４２ａまでの長さは、箱体１２の組立状態で底部の中心線付近に達する長さ、つまり側面１８，２２の約半分の長さに設けられている。端部４２ａの、側面１８側の部分は、略三角形の底部糊付片４６が折罫線４８で区切られて設けられている。折罫線４８は、折罫線４４に対して交差する方向に設けられている。端部４２ａには底部糊付片４６とは反対側の位置に、端部４２ａから外側に突出する小形の四角形状の第一底部差込片５０が一体に設けられている。
【００２１】
側面１８の、側面１６の折罫線３６に隣接する端部には、台形状の上フラップ５２が折罫線５４で区切られて設けられている。側面１８の、折罫線５４とは反対側の端部には、略三角形に近い台形状の底フラップ５６が折罫線５８で区切られて設けられている。
【００２２】
側面２０の、側面１８の折罫線５４に隣接する端部２０ａには、何も設けられていない。端部２０ａの中心には、側面２０の中心に向って逆台形状の破断線６０が設けられている。端部２０ａと破断線６０に囲まれた部分は開封部６２であり、箱体１２を閉鎖する際に差込片３８に糊付けされるか上蓋片３４にテープ等で止められる。側面２０の、端部２０ａとは反対側の端部には、第一底蓋片４２と同じ形状の第二底蓋片６４が折罫線６６で区切られて設けられている。第二底蓋片６４は、折罫線６６を下底とする台形状に形成され、折罫線６６に対して平行な上底である端部６４ａまでの長さは、箱体１２の組立状態で底部の中心線付近に達する長さ、つまり側面１８，２２の約半分の長さ設けられている。端部６４ａの、側面２２側の部分は、略三角形の底部糊付片６８が折罫線７０で区切られて設けられている。折罫線７０は、折罫線６６に対して交差する方向に設けられている。端部６４ａには底部糊付片６８とは反対側の位置に、端部６４ａから外側に突出する小形の四角形状の第二底部差込片７２が一体に設けられている。
【００２３】
側面２２の、側面２０の端部２０ａに隣接する端部には、台形状の上フラップ７４が折罫線７６で区切られて設けられている。側面２２の、折罫線７６とは反対側の端部には、略三角形に近い台形状の底フラップ７８が折罫線８０で区切られて設けられている。
【００２４】
そして、箱体形成片１４で組み立てられた箱体１２には、収容物を挿通して緩衝的に保持する緩衝用中仕切８２が入れられている。緩衝用中仕切８２は、図３に示すように紙製のシートを打ち抜いて形成された仕切形成片８４を組み立てて設けられている。
【００２５】
仕切形成片８４は、箱体１２の底部とほぼ同じ大きさの上面板８８が設けられ、一方向に長い矩形である。上面板８８には、収容物である後述のバイアル１５４の、側面の上方を挿通する円形の上方透孔９０が等間隔に複数個設けられている。ここでは、５個ずつが２列に並べられ１０個の上方透孔９０が設けられている。上面板８８の、長い辺の一方には、上面保持板９２が折罫線９４で区切られて設けられている。上面保持板９２は、上面板８８と連接している幅方向は上面板８８と同じ長さであり、連接方向の長さは、上面板８８よりも短い矩形である。上面板８８の、折罫線９４に交差する一対の短い辺には、矩形の仕切外側フラップ９６が折罫線９８で区切られて各々設けられている。
【００２６】
折罫線９４とは反対側の長い辺には、上面保持板９２とほぼ同じ大きさの上面保持板１００が折罫線１０２で区切られている。上面保持板１００の、折罫線１０２とは反対側の長い辺には、上面板８８とほぼ同じ大きさの底面板１０４が折罫線１０６で区切られて設けられている。折罫線１０６の途中の５か所には、底面板１０４の方へ突出するコの字形の切断線１０８が各々設けられている。切断線１０８の内側は仕切形成片８４の組立状態で上面保持板１００と面一に突出する脚部１１０となり、脚部１１０には折罫線１０６は設けられず、途切れている。折罫線１０２から脚部１１０の先端部までの長さは、上面保持板９２の長さと同じである。底面板１０４は、折罫線１０６から反対側の長い辺までの長さは、上面板８８の長さと同じである。
【００２７】
底面板１０４は、エンボス加工が施されて矩形の型押部１１２が、複数個設けられている。型押部１１２は、ここでは折罫線１０６に対して直角な方向に長細い矩形であり、折罫線１０６に対して平行な方向に等間隔に５個並んでいる。各型押部１１２は、各脚部１１０の横に対応して位置している。底面板１０４の、折罫線１０６に交差する一対の短い辺には、仕切外側フラップ９６よりも少し大きい矩形の仕切外側糊付片１１４が折罫線１１６で区切られて各々設けられている。
【００２８】
底面板１０４の、折罫線１０６とは反対側の長い辺には、中間保持板１１８が折罫線１２０で区切られて設けられている。中間保持板１１８は、底面板１０４と連接している幅方向は底面板１０４と同じ長さであり、連接方向の長さは、底面板１０４よりも短く、なおかつ上面保持板９２よりも短い矩形である。中間保持板１１８は、折罫線１２０よりも、折罫線１２０とは反対側の端部が少し短く形成され、わずかに台形となっている。
【００２９】
中間保持板１１８の、折罫線１２０とは反対側の長い辺には、中間板１２２が折罫線１２４で区切られて設けられている。中間板１２２は、上面板８８より少し小さい矩形であり、後述するバイアル１５４の側面の下方を挿通する円形の下方透孔１２６が設けられている。下方透孔１２６は上面板８８の上方透孔９０と同じ径の円形であり、上方透孔９０と同じ配置で１０個が設けられている。中間板１２２には、折罫線１２４に交差する一対の短い辺に、矩形の仕切内側糊付片１２８が折罫線１３０で区切られて各々設けられている。仕切内側糊付片１２８は、仕切外側糊付片１１４よりも小さい矩形であり、折罫線１３０から、折罫線１３０とは反対側の端部までの長さは、中間保持板１１８の折罫線１２０と折罫線１２４の間の長さよりも少し短い。
【００３０】
中間板１２２の、折罫線１２４とは反対側の長い辺には、中間保持板１３２が折罫線１３４で区切られて設けられている。中間保持板１３２は、中間保持板１１８とほぼ同じ大きさの矩形である。
【００３１】
中間保持板１３２の、折罫線１３４とは反対側の長い辺には、底面糊付板１３６が折罫線１３８で区切られて設けられている。底面糊付板１３６は中間板１２２とほぼ同じ大きさの矩形であり、エンボス加工が施されて矩形の型押部１１２が、複数個設けられている。型押部１１２は、底面板１０４と同様に、折罫線１３８に対して直角な方向に長細い矩形であり、折罫線１３８に対して平行な方向に等間隔に５個並んでいる。型押部１１２は、後述する組立状態で、上方透孔９０及び下方透孔１２６と対向する位置に形成されている。底面糊付板１３６の、折罫線１３８に交差する一対の短い辺には、仕切内側糊付片１２８よりも少し小さい矩形の仕切内側フラップ１４０が折罫線１４２で区切られて各々設けられている。
【００３２】
次にこの実施形態の包装箱１０の組立方法と使用方法について図面に基づいて説明する。まず、緩衝用中仕切８２の組立方法について説明する。なお、ここでは図３が緩衝用中仕切８２の仕切形成片８４の表面を見たものであり、仕切形成片８４の表面が凸になる折り方を正折り、そして裏面が凸になる折り方を逆折りと称する。なお、図４〜図６は、組み立て工程が見やすいように仕切形成片８４の裏面を見た図である。
【００３３】
まず、図４に示すように、折罫線１３４を正折りし、底面糊付板１３６の表面又は底面板１０４の裏面に糊１４４を塗布する。糊１４４は、底面板１０４または底面糊付板１３６の長い辺に沿って、２本の直線で塗布される。そして折罫線１２０を正折りし、図５に示すように底面糊付板１３６の表面を底面板１０４の裏面に糊付けする。
【００３４】
次に、中間保持板１１８の表面に糊１４６を塗布し、折罫線１０２を正折りする。これにより、上面保持板９２の裏面は中間保持板１１８の表面に糊付けされ、図６に示すように、折り畳み状態となる。この状態で仕切形成片８４による折り畳み状態の緩衝用中仕切８２が、商品である収容物を包装する工場へ出荷される。糊付けと折る順番は、上記以外でもよい。
【００３５】
次に、商品を収容し包装する工場等において、折罫線９４，１０２，１０６，１２０を各々９０°になるように正折りして、上面保持板９２、上面板８８、上面保持板１００、底面板１０４を四角筒体にする。この時、中間保持板１１８は上面保持板９２の裏面に糊付けされ、また底面糊付板１３６は底面板１０４の裏面に糊付けされているため、同時に引き起こされ、折罫線１２４，１３４，１３８は各々９０°の正折りになり、中間保持板１１８、中間板１２２、中間保持板１３２、底面糊付板１３６は、内側に位置する小さい四角筒体になる。中間保持板１３２は、上面保持板１００の裏面に位置しているが糊付けされていないため、小さい四角筒体が、円滑にワンタッチで引き起こされ組み立てられる。上面保持板９２の、上面板８８とは反対側の辺は、底面板１０４よりも下方に突出し、底面板１０４を保持する脚部９２ａとなる。また、上面保持板１００の脚部１１０は底面板１０４よりも下方に上面保持板９２と同じ長さで突出する。
【００３６】
この後、折罫線１３０，１４２を９０°に正折りして、仕切内側糊付片１２８と仕切内側フラップ１４０を互に重ね、小さい四角筒体の両端の開口部を閉鎖する。必要に応じて仕切内側糊付片１２８と仕切内側フラップ１４０を糊付けする。次に、折罫線９８，１１６を９０°に正折りして、仕切外側フラップ９６の表面に仕切外側糊付片１１４を糊付けし、四角筒体の両端の開口部を閉鎖する。これにより緩衝用中仕切８２は四角筒体に組み立てられた状態を保つ。
【００３７】
次に箱体１２の組立方法について図７に基づいて説明する。なお、ここでは図７が箱体１２の箱体形成片１４の表面を見たものであり、箱体形成片１４の表面が凸になる折り方を正折り、そして裏面が凸になる折り方を逆折りと称する。まず、折罫線４４，５８，６６，８０で、第一底蓋片４２、底フラップ５６、第二底蓋片６４、底フラップ７８を正折りし、次に底部糊付片４６の折罫線４８と、底部糊付片６８の折罫線７０を逆折りし、底部糊付片４６，６８の裏面に、それぞれ糊１４８を塗布する。次に、糊付片２４の表面に糊１５０を塗布し、折罫線２８を正折りし、次に折罫線３２を正折りする。これにより、側面２２の裏面に糊付片２４が糊１５０で糊付けされ、第一底蓋片４２の底部糊付片４６の裏面は、糊１４８により底フラップ５６の表面に糊付けされ、第二底蓋片６４の底部糊付片６８の裏面は、糊１４８により底フラップ７８の表面に糊付けされる。これにより、箱体形成片１４は折り畳み状態となり、折り畳み状態の緩衝用中仕切８２とともに出荷される。
【００３８】
次に、収容物を収容し包装する工場等において、折罫線２６，２８，３０，３２を各々９０°に正折りして四角形の箱体１２にする。この時、第一底蓋片４２の底部糊付片４６は底フラップ５６に、第二底蓋片６４の底部糊付片６８は底フラップ７８に糊付けされているため、二つ折りされていた折罫線４４，５８，６６，８０は自動的に引き起こされてほぼ９０°に開き、ワンタッチで底部１２ａが形成される。そして、第一底蓋片４２の第一底部差込片５０は第二底蓋片６４の裏面に重なり、第二底蓋片６４の第二底部差込片７２は第一底蓋片４２の裏面に重なり、互に係止される。これにより底部１２ａが確実に係止され箱体の底部１２ａの形状を保ち、折り畳み状態に戻ることを防ぐ。
【００３９】
次に、組み立てた緩衝用中仕切８２を、予め箱体１２の底部１２ａに入れ、図１に示す状態とする。この時、緩衝用中仕切８２の上面保持板９２の脚部９２ａと脚部１１０が箱体１２の底部１２ａに当接し、底面板１０４は所定高さの緩衝空間１５２を介して入れられる。緩衝用中仕切８２の、底面板１０４と中間板１２２、上面板８８は、箱体の内側で底部１２ａに対して平行に位置する。そして、上面板８８の上方透孔９０に、収容物であるバイアル１５４を差し込む。バイアル１５４は、例えば５０ｍｌ用であるが、適宜変更可能である。１０個の上方透孔９０に、各々バイアル１５４を入れる。バイアル１５４の側面の上方寄りには、上方透孔９０の周縁部が一周して僅かなゆとりを有して当接する。そして、バイアル１５４の側面の下方寄りの部分は中間板１２２の下方透孔１２６に差し込まれ、下方透孔１２６の周縁部が一周してわずかなゆとりを有して当接する。バイアル１５４の底は、底面板１０４に当接し、保持される。なお、底面板１０４には底面糊付板１３６が糊付けされ、２層になり、また底面板１０４と底面糊付板１３６には型押部１１２が形成され、剛性が高く、確実にバイアル１５４の重量を支持する。底面板１０４は、箱体１２の底部１２ａとの間に緩衝空間１５２が設けられ、底面板１０４が撓んで緩衝空間１５２がつぶれることが無い。
【００４０】
そして、箱体１２の上フラップ５２，７４を折罫線５４，７６で９０°に正折りする。次に、上蓋片３４を折罫線３６で９０°に正折りし、差込片３８を折罫線４０で９０°に正折りして側面２０の端部２０ａから側面２０の裏面に沿って差し込む。側面２０の開封部６２と差込片３８を糊付けし、包装が完了する。なお、包装箱１０を開封する時は、開封部６２を押して破断線６０を切断し、上蓋片３４を引き上げる。
【００４１】
この実施形態の緩衝用中仕切８２と包装箱１０によれば、簡単な構造で、組立工程が容易であり、剛性が高く、高い緩衝性を有する。箱体１２の底部１２ａと、緩衝用中仕切８２の底面板１０４の間には緩衝空間１５２が設けられ、上下方向に緩衝性が高い。また、バイアル１５４の、側面の上下２か所で、上面板８８上方透孔９０と、中間板１２２の下方透孔１２６に差し込まれて環状に保持されるため、水平方向の緩衝性も高い。バイアル１５４は、がたつき無く保持され、高い緩衝効果を有して保護し、安全で確実に運搬、保管することができる。さらに、上面保持板１００の一部が脚部１１０となり、反対側には上面保持板９２が底面板１０４から下方に突出し、底面板１０４を両側から確実に緩衝空間１５２を開けて保持することができる。簡単な構造の形状の仕切形成片８４から、組み立て工程が容易に、ワンタッチで上面保持板９２の脚部９２ａと脚部１１０を形成することができる。緩衝用中仕切８２の底面板１０４には底面糊付板１３６が糊付けされ、２層となり、さらに底面板１０４と底面糊付板１３６にはエンボス加工が施されて型押部１１２が設けられているため、剛性が高く、バイアル１５４の重量を支持し、落下等の強い衝撃が加えられても撓むことが無く、緩衝空間１５２がつぶれることが無い。
【００４２】
その他、この実施形態の緩衝用中仕切８２は、剛性を持たせるために、紙厚を厚くしたり、支持する支持板を底部の中央に設けたりすることが不要である。糊付けする部分が少なく、簡単な構造と簡単な組立工程で、底面板１０４に剛性を持たせ、底面板１０４を底部１２ａから離間し、バイアル１５４を確実に保持することができる。緩衝用中仕切８２の端部は仕切外側糊付片１１４と仕切外側フラップ９６が互に糊付けされて閉鎖して保形性を有し、さらに仕切外側糊付片１１４と仕切外側フラップ９６の裏面には仕切内側糊付片１２８と仕切内側フラップ１４０が互に重ねられているため、４層構造となり、四角筒体の端部の強度が高く、また内側の中間保持板１１８，１３２、中間板１２２、底面糊付板１３６からなる小さい四角筒体の保形性も高い。箱体１２と緩衝用中仕切８２が別体であり、箱体形成片１４と仕切形成片８４の面積が大きくならず、コンパクトで扱いやすい。
【００４３】
なお、この発明の緩衝用中仕切と包装箱は、上記の実施形態に限定されるものではなく、収容物はバイアル以外のものでも良く、収容物に合わせて上方透孔と下方透孔の形状や大きさ、数等、適宜変更可能である。緩衝用中仕切と包装箱の組立工程の順番は、適宜変更可能である。箱体の構造は、上記以外でも良く、底部と上蓋片の構造等は自由である。また、緩衝用中仕切は、箱体に収納せずに、収容物を保持するための枠として用いてもよい。
【符号の説明】
【００４４】
１０  包装箱
１２  箱体
１２ａ  底部
８２  緩衝用中仕切
８４  仕切形成片
８８  上面板
９０  上方透孔
９２，１００  上面保持板
９２ａ，１１０  脚部
９６  仕切外側フラップ
１０４  底面板
１０６  折罫線
１０８  切断線
１１２  型押部
１１４  仕切外側糊付片
１１８，１３２  中間保持板
１２２  中間板
１２６  下方透孔
１２８  仕切内側糊付片
１３６  底面糊付板
１４０  仕切内側フラップ
１５２  緩衝空間
【図１】
0003223214.tif 000003
【図２】
0003223214.tif 000004
【図３】
0003223214.tif 000005
【図４】
0003223214.tif 000006
【図５】
0003223214.tif 000007
【図６】
0003223214.tif 000008
【図７】
0003223214.tif 000009
【手続補正書】
【提出日】令和1年7月24日(2019.7.24)
【手続補正１】
【補正対象書類名】明細書
【補正対象項目名】０００８
【補正方法】変更
【補正の内容】
【０００８】
本考案は、一枚の仕切形成片から成り、上方に位置する上面板と、前記上面板の下方に位置し前記上面板に沿って位置する底面板と、前記上面板と前記底面板を連結する一対の上面保持板が、四角筒体に組み立てられて設けられ、前記上面板と前記底面板の間には前記上面板に沿う中間板が設けられ、前記上面板と前記中間板には収容物を挿通して緩衝的に保持する透孔が各々設けられている緩衝用中仕切である。前記一対の上面保持板の、前記上面板とは反対側の辺は前記底面板よりも下方に突出して前記底面板を保持する脚部となり、前記一対の上面保持板に各々設けられた前記脚部は、前記底面板よりも下方に突出する長さが互いに同じである。前記底面板には底面糊付板が糊付けされて２層に形成されている。
【手続補正２】
【補正対象書類名】明細書
【補正対象項目名】００１１
【補正方法】変更
【補正の内容】
【００１１】
前記仕切形成片は、前記一対の上面保持板の一方、前記上面板、前記一対の上面保持板の他方、前記底面板、前記一対の中間保持板の一方、前記中間板、前記一対の中間保持板の他方、前記底面糊付板が順に折罫線を介して連続して設けられ、端部に位置する前記一方の上面保持板の前記上面板とは反対側の側縁部が一方の前記脚部となり、前記底面板と前記他方の上面保持板の間の前記折罫線には前記切断線が設けられ、前記切断線で囲まれた前記脚部が設けられている。
【手続補正３】
【補正対象書類名】明細書
【補正対象項目名】００１４
【補正方法】変更
【補正の内容】
【００１４】
また本考案は、収容物を入れる箱体が設けられ、前記箱体の中に緩衝用中仕切が入れられている包装箱である。前記緩衝用中仕切は、一枚の仕切形成片から成り、上方に位置する上面板と、前記上面板の下方に位置し前記上面板に沿って位置する底面板と、前記上面板と前記底面板を連結する一対の上面保持板が、四角筒体に組み立てられて設けられ、前記上面板と前記底面板の間には前記上面板に沿う中間板が設けられ、前記上面板と前記中間板には収容物を挿通して緩衝的に保持する透孔が各々設けられている。そして、前記一対の上面保持板の、前記上面板とは反対側の辺は前記底面板よりも下方に突出して前記底面板を保持する脚部となり、前記箱体の底部と、前記底面板の間に緩衝空間が設けられる。前記一対の上面保持板に各々設けられた前記脚部は、前記底面板よりも下方に突出する長さが互いに同じである。また、前記底面板には底面糊付板が糊付けされて２層に形成されているものである。
【手続補正４】
【補正対象書類名】実用新案登録請求の範囲
【補正対象項目名】請求項１
【補正方法】変更
【補正の内容】
【請求項１】
一枚の仕切形成片から成り、上方に位置する上面板と、前記上面板の下方に位置し前記上面板に沿って位置する底面板と、前記上面板と前記底面板を連結する一対の上面保持板が、四角筒体に組み立てられて設けられ、前記上面板と前記底面板の間には前記上面板に沿う中間板が設けられ、前記上面板と前記中間板には収容物を挿通して緩衝的に保持する透孔が各々設けられ、
前記一対の上面保持板の、前記上面板とは反対側の辺は前記底面板よりも下方に突出して前記底面板を保持する脚部となり、前記一対の上面保持板に各々設けられた前記脚部は、前記底面板よりも下方に突出する長さが互いに同じであり、
前記底面板には底面糊付板が糊付けされて２層に形成されていることを特徴とする緩衝用中仕切。
【手続補正５】
【補正対象書類名】実用新案登録請求の範囲
【補正対象項目名】請求項４
【補正方法】変更
【補正の内容】
【請求項４】
前記仕切形成片は、前記一対の上面保持板の一方、前記上面板、前記一対の上面保持板の他方、前記底面板、前記一対の中間保持板の一方、前記中間板、前記一対の中間保持板の他方、前記底面糊付板が順に折罫線を介して連続して設けられ、端部に位置する前記一方の上面保持板の前記上面板とは反対側の側縁部が一方の前記脚部となり、前記底面板と前記他方の上面保持板の間の前記折罫線には前記切断線が設けられ、前記切断線で囲まれた前記脚部が設けられている請求項３記載の緩衝用中仕切。
【手続補正６】
【補正対象書類名】実用新案登録請求の範囲
【補正対象項目名】請求項６
【補正方法】変更
【補正の内容】
【請求項６】
前記中間板には、前記小さい四角筒体の両端の開口部を閉鎖する仕切内側糊付片が設けられ、前記底面糊付板には、前記小さい四角筒体の両端の開口部を閉鎖する仕切内側フラップが設けられ、前記仕切内側糊付片と前記仕切内側フラップは互いに糊付けされ、前記
互いに糊付けされた前記仕切外側フラップと前記仕切外側糊付片の内側に位置し、前記四角筒体の両端の開口部は４層構造になっている請求項３記載の緩衝用中仕切。
【手続補正７】
【補正対象書類名】実用新案登録請求の範囲
【補正対象項目名】請求項８
【補正方法】変更
【補正の内容】
【請求項８】
収容物を入れる箱体が設けられ、前記箱体の中に緩衝用中仕切を備え、
前記緩衝用中仕切は、一枚の仕切形成片から成り、上方に位置する上面板と、前記上面板の下方に位置し前記上面板に沿って位置する底面板と、前記上面板と前記底面板を連結する一対の上面保持板が、四角筒体に組み立てられて設けられ、前記上面板と前記底面板の間には前記上面板に沿う中間板が設けられ、前記上面板と前記中間板には収容物を挿通して緩衝的に保持する透孔が各々設けられ、前記一対の上面保持板の、前記上面板とは反対側の辺は前記底面板よりも下方に突出して前記底面板を保持する脚部となり、前記一対の上面保持板に各々設けられた前記脚部は、前記底面板よりも下方に突出する長さが互いに同じであり、前記底面板には底面糊付板が糊付けされて２層に形成され、
前記箱体の底部と、前記底面板の間に緩衝空間が設けられていることを特徴とする包装箱。